(57)【要約】      （修正有）【課題】デザイン性の高い全身に炭酸泉を供給可能な炭酸泉浴用シャワー装置を提供する。【解決手段】液体供給部３０から上下方向上方に向かって配置されるシャワーバー１０と、シャワーバー１０の下流側に配置されるオーバーシャワーヘッド１１と、シャワーバー１０に設置される炭酸泉製造ユニット２０と、を備え、炭酸泉製造ユニット２０は、液体と炭酸ガスを混合して炭酸泉を製造する炭酸泉製造部２１と、この炭酸泉製造部２１に炭酸ガスを供給するガス供給部２２と、炭酸ガスの流量を調節する流量調節手段２３と、を有し、炭酸泉製造部２１は、棒状に形成され、シャワーバー１０の軸線に沿って配置されている。【選択図】図１
0003208552.tif 000002
【実用新案登録請求の範囲】
【請求項１】
液体供給部から上下方向上方に向かって配置されるシャワーバーと、
前記シャワーバーの下流側に配置されるオーバーシャワーヘッドと、
前記シャワーバーに設置される炭酸泉製造ユニットと、を備えることを特徴とする、炭酸泉浴用シャワー装置。
【請求項２】
前記炭酸泉製造ユニットは、液体と炭酸ガスを混合して炭酸泉を製造する炭酸泉製造部と、この炭酸泉製造部に前記炭酸ガスを供給するガス供給部と、前記炭酸ガスの流量を調節する流量調節手段と、を有し、
前記炭酸泉製造部は、棒状に形成され、前記シャワーバーの軸線に沿って配置されていることを特徴とする、請求項１に記載の炭酸泉浴用シャワー装置。
【請求項３】
前記炭酸泉製造ユニットは、前記炭酸泉製造部と前記流量調節手段を固定する補強板をさらに有していることを特徴とする、請求項２に記載の炭酸泉浴用シャワー装置。
【請求項４】
前記ガス供給部は、小型ガスボンベであることを特徴とする、請求項２又は請求項３に記載の炭酸泉浴用シャワー装置。
【請求項５】
前記液体供給部に接続される第二シャワーユニットをさらに備えることを特徴とする、請求項１〜４の何れかに記載の炭酸泉浴用シャワー装置。
【請求項６】
前記第二シャワーユニットは、シャワーヘッドと、このシャワーヘッド及び前記液体供給部を接続するシャワーホースと、前記シャワーヘッドを固定するシャワーフックと、を備え、
前記シャワーフックは、前記シャワーバー上を摺動可能に構成されていることを特徴とする、請求項５に記載の炭酸泉浴用シャワー装置。
【考案の詳細な説明】
【技術分野】
【０００１】
本考案は、炭酸泉を供給可能な炭酸泉浴用シャワー装置に関する。
【背景技術】
【０００２】
従来、炭酸泉浴は、血行促進や保温効果等、身体に良いことが知られている。そして、皮膚や頭皮、毛髪に好影響であることから、炭酸泉を供給可能なシャワー装置が提案されている（特許文献１参照）。
【０００３】
特許文献１に記載の炭酸泉浴用シャワー装置は、一般的な家庭にて使用されているシャワー装置に、炭酸ガス供給装置を取り付けたものである。この炭酸ガス供給装置は、小型の高圧ガスカートリッジを着脱可能に設けることにより、水又は湯に炭酸ガスを導入しているため、場所を取らず使用者の邪魔にならないとされている。
【０００４】
また、液体に炭酸ガスを安定して混合させる装置としては、「一端部に流体の流入口が設けられ、他端部に流体の流出口が設けられた中空状の混合部を備えたものであって、混合部の内部には、内部流路をそれぞれ仕切るように、複数の混合細孔が設けられた混合栓と、周縁部に複数のスリットが設けられた少なくとも１つの調整板と、複数の絞り細孔が設けられた絞り弁とが設けられた」多機能型混合装置が提案されている（特許文献２）。
【先行技術文献】
【特許文献】
【０００５】
【特許文献１】特開平８−１７３３４４号公報
【特許文献２】特開２０１５−１４４９９３号公報
【考案の概要】
【考案が解決しようとする課題】
【０００６】
ところで、炭酸泉浴を行う上では、全身に満遍なく炭酸泉を供給することが望ましい。しかしながら、特許文献１のような一般的な家庭にて使用されているシャワー装置においては、使用者の頭上斜め上方から水又は湯を吐出するため、使用者の全身に炭酸泉を供給可能なものではなかった。
【０００７】
また、質の良い炭酸泉を得るためには、特許文献２のような多機能型混合装置（炭酸泉製造部）を導入することが望ましいが、シャワー装置の流路中に炭酸泉製造部を取付けるスペースを確保した場合には、シャワー装置のデザイン性を損ねてしまうという問題があった。
【０００８】
本考案は、かかる実情に鑑み、全身に炭酸泉を供給可能な炭酸泉浴用シャワー装置を提供することを課題とする。
また、本考案は、デザイン性に優れた炭酸泉浴用シャワー装置を提供することを課題とする。
【課題を解決するための手段】
【０００９】
上記課題を解決するため、本考案に係る炭酸泉浴用シャワー装置は、液体供給部から上下方向上方に向かって配置されるシャワーバーと、前記シャワーバーの下流側に配置されるオーバーシャワーヘッドと、前記シャワーバーに設置される炭酸泉製造ユニットと、を備えることを特徴とする。
【００１０】
このように、オーバーシャワーヘッドから炭酸泉を供給可能にしたことにより、炭酸泉を使用者の全身にくまなく供給することができる。
【００１１】
本考案の好ましい形態では、前記炭酸泉製造ユニットは、液体と炭酸ガスを混合して炭酸泉を製造する炭酸泉製造部と、この炭酸泉製造部に前記炭酸ガスを供給するガス供給部と、前記炭酸ガスの流量を調節する流量調節手段と、を有し、
前記炭酸泉製造部は、棒状に形成され、前記シャワーバーの軸線に沿って配置されていることを特徴とする。
このように、棒状に形成された炭酸泉製造部を、シャワーバーの軸線に沿って配置することにより、炭酸泉製造部を省スペースかつスタイリッシュに配置することができ、炭酸泉浴用シャワー装置のデザイン性を高めることができる。
【００１２】
本考案の好ましい形態では、前記炭酸泉製造ユニットは、前記炭酸泉製造部と前記流量調節手段を固定する補強板をさらに有していることを特徴とする。
このように、補強板をさらに有することにより、結合箇所の強度を高めるとともに、結合箇所を覆ってデザイン性を高めることができる。
【００１３】
本考案の好ましい形態では、前記ガス供給部は、小型ガスボンベであることを特徴とする。
このように、ガス供給部に小型ガスボンベを採用することにより、使用者が炭酸ガスの供給を容易に行うことができる。
【００１４】
本考案の好ましい形態では、前記液体供給後に接続される第二シャワーユニットをさらに備えることを特徴とする。
このように、第二シャワーユニットを備えることにより、局所的に水又は湯を供給したい場合に快適に利用することができる。
【００１５】
本考案の好ましい形態では、前記第二シャワーユニットは、シャワーヘッドと、このシャワーヘッド及び前記液体供給部を接続するシャワーホースと、前記シャワーヘッドを固定するシャワーフックと、を備え、前記シャワーフックは、前記シャワーバー上を摺動可能に構成されていることを特徴とする。
このように、シャワーフックがシャワーバー上を摺動することにより、使用者の快適な位置にシャワーバーを固定することができる。
【考案の効果】
【００１６】
本考案は、全身に炭酸泉を供給可能な炭酸泉浴用シャワー装置を提供することができる。
また、本考案は、デザイン性に優れた炭酸泉浴用シャワー装置を提供することができる。
【図面の簡単な説明】
【００１７】
【図１】本考案の一実施形態に係る炭酸泉浴用シャワー装置を示す全体斜視図である。
【図２】本考案の一実施形態に係る炭酸泉浴用シャワー装置の炭酸泉製造ユニットを示す斜視図である。
【図３】本考案の一実施形態に係る炭酸泉浴用シャワー装置の炭酸泉製造ユニットを示す分解斜視図である。
【図４】本考案の一実施形態に係る炭酸泉浴用シャワー装置の炭酸泉製造部の断面を示す縦断面図である。
【図５】本考案の一実施形態に係る炭酸泉浴用シャワー装置の補強板を示す斜視図である。
【図６】本考案の一実施形態に係る炭酸泉浴用シャワー装置のレギュレーターを示す図である。
【考案を実施するための形態】
【００１８】
以下、本考案を図面に示した好ましい一実施形態について、図１〜図６を用いて詳細に説明する。本考案の技術的範囲は、添付図面に示した実施形態に限定されるものではなく、実用新案登録請求の範囲に記載された範囲内において、適宜変更が可能である。
【００１９】
図１は、本実施形態に係る炭酸泉浴用シャワー装置の全体斜視図を示している。この炭酸泉浴用シャワー装置は、液体供給部３０から上下方向上方に向かって配置されるシャワーバー１０と、このシャワーバー１０の下流側に配置されるオーバーシャワーヘッド１１と、シャワーバー１０に設置される炭酸泉製造ユニット２０と、を備えている。
【００２０】
シャワーバー１０は、液体供給部３０及び浴室の壁Ｗの上方に配置された取付部Ｗ１に支持されており、浴室の壁Ｗに沿って鉛直方向に設置されている。なお、図においては、円筒状に形成されたシャワーバー１０を示しているが、水又は湯を送液可能な筒状であればよく、多角形状の筒や楕円形の筒を採用することもできる。また、図１においては、取付部を１つ設けた場合を示したが、取付部を２つ以上設けて、シャワーバー１０を固定する強度を向上させてもよい。
【００２１】
オーバーシャワーヘッド１１は、使用者の頭上にまで延びたシャワーバー１０の端部に配置されており、使用者の頭上から炭酸泉を供給可能に構成されている。このオーバーシャワーヘッド１１は、吐出孔を大面積に配置したり、吐出孔を外側に向かって傾斜させる等して、広範囲に炭酸泉を吐出できるよう構成されていることが望ましい。すなわち、このオーバーシャワーヘッド１１は、使用者の直上から、全身に炭酸泉を供給可能なよう構成されている。
【００２２】
図２は炭酸泉製造ユニット２０の斜視図であり、図３は炭酸泉製造ユニット２０の分解斜視図を示している。
炭酸泉製造ユニット２０は、液体と炭酸ガスを混合して炭酸泉を製造する炭酸泉製造部２１と、この炭酸泉製造部２１に前記炭酸ガスを供給するガス供給部（小型ガスボンベ２２）と、前記炭酸ガスの流量を調節する流量調節手段（アジャスター２３）と、を有している。
【００２３】
炭酸泉製造部２１は、図４に示すように、棒状の外形を有し、液体導入孔２１ａから導入される液体と炭酸ガス導入孔２１ｂから導入される炭酸ガスを混合して炭酸泉を製造し、この炭酸泉を炭酸泉供給孔２１ｃから吐出するように構成されている。
この炭酸泉製造部２１は、シャワーバー１０の軸線に沿って配置されており、図１〜３に示すように、シャワーバー１０の同軸上に配置したり、シャワーバー１０の側面側に平行に取り付けられる。
【００２４】
この炭酸泉製造部２１としては、例えば、特許文献２に記載されている多機能型混合装置を採用することができる。この多機能型混合装置は、図４の断面図に示すように、複数の混合細孔が設けられた混合栓Ａと、周縁部に複数のスリットが設けられた少なくとも１つの調整板Ｂと、複数の絞り細孔が設けられた絞り弁Ｃと、を有しており、液体（水又は湯）と炭酸ガスの撹拌混合をより促進させることができる。
なお、この炭酸泉製造部２１は、棒状に形成されていればよく、上記多機能型混合装置以外の炭酸泉製造部を採用することができる。
【００２５】
液体導入孔２１ａは、液体供給部３０に液密に接続され、水や湯等の液体が供給されている。例えば、液体導入孔２１ａに形成された雄ネジ部が、液体供給部３０の筐体３２の液体吐出３２ａの雌ネジ部に螺合されることにより接続されている。
また、炭酸ガス導入孔２１ｂは接続管２４を介してアジャスター２３に気密に接続されており、炭酸泉供給孔２１ｃはシャワーバー１０の上流側において液密に接続されている。
なお、これら接続部分は、液密又は気密に接続可能な方式であればよく、例えば、Ｏリングを介挿した差し込み方式等の従来法を採用することができる。
【００２６】
小型ガスボンベ２２は、炭酸ガス（ＣＯ２）が供給可能な小型高圧ガスカートリッジであり、炭酸ガスの供給量はアジャスター２３の調節ノブ２３ｃで調節される。
アジャスター２３は、図５に示すように、アジャスター本体２３ａと、小型ガスボンベ２２を取付ける取付部２３ｂと、炭酸ガスの供給量を調節する調節ノブ２３ｃと、この炭酸ガスを炭酸泉製造部２１に供給する供給部２４ｄと、平坦面２３ｅと、を有している。
【００２７】
また、炭酸泉製造部２１とアジャスター２３（流量調節手段）を固定する補強板２５をさらに有していてもよい。
補強板２５は、図６に示すように、ボルトＢが挿通される貫通孔２５ａを有し、このボルトＢが炭酸泉製造部２１に設けられるネジ穴２１ｄ及びアジャスター２３に設けられるネジ穴２３ｆに螺合されることで固定されている。
【００２８】
液体供給部３０は、操作用レバー３１と、この操作用レバー３１が取付けられる筐体３２とを有している。なお、図に示した操作用レバー３１以外にも、一般的に用いられている操作用部であれば採用することができ、水や湯の供給量を調節可能なよう構成されている。
【００２９】
また、液体供給部３０に接続される第二シャワーユニット４０を、さらに備えていてもよい。この第二シャワーユニット４０は、シャワーヘッド４１と、このシャワーヘッド４１及び液体供給部３０を接続するシャワーホース４２と、シャワーヘッド４１を固定するシャワーフック４３と、を備えている。
なお、シャワーフック４３は、シャワーバー１０上を摺動可能に構成されている。
【００３０】
本考案によれば、炭酸泉をオーバーシャワーヘッドから吐出することにより、炭酸泉を使用者の全身にくまなく供給することができ、炭酸泉の効果を全身に生き渡らせることができる。すなわち、炭酸泉を頭から全身に浴びることにより、炭酸ガスの皮膚からの吸収を促進させることができ、炭酸泉が皮膚や頭皮、毛髪に与える良好な効果を最大限に引き出すことができる。
なお、オーバーシャワーヘッドから身を包み込むように降り注ぐシャワーは、身体を洗い流すだけではなくリラクゼーション効果があるため、使用者にとって快適な環境で炭酸泉の供給を行うことができる。
【００３１】
また、本考案によれば、棒状の炭酸泉製造部２１をシャワーバー１０の軸線に沿って配置することにより、炭酸泉製造部２１をスタイリッシュかつ省スペースに配置することができる。そのため、炭酸泉浴用シャワー装置のデザイン性を損なうことなく、炭酸泉製造部２１により、炭酸泉の質を高めることができる。
【００３２】
また、本考案によれば、炭酸泉製造ユニット２０は、炭酸泉製造部２１とアジャスター２３（流量調節手段）を固定する補強板２５を有していることにより、結合箇所の強度を高めるとともに、結合箇所を覆い隠してデザイン性を高めることができる。
【符号の説明】
【００３３】
１０  シャワーバー
１１  オーバーシャワーヘッド
２０  炭酸泉製造ユニット
２１  炭酸泉製造部
２２  小型ガスボンベ
２３  アジャスター
２４  接続管
２５  補強板
３０  液体供給部
３１  操作用レバー
３２  筐体
４０  第二シャワーユニット
４１  シャワーヘッド
４２  シャワーホース
４３  シャワーフック
Ｗ  壁
Ｗ１  固定部
【図１】
0003208552.tif 000003
【図２】
0003208552.tif 000004
【図３】
0003208552.tif 000005
【図４】
0003208552.tif 000006
【図５】
0003208552.tif 000007
【図６】
0003208552.tif 000008